(57)【要約】  本発明は、一般に、履物およびこれを作製するための方法に関し、より詳細には、反発性ミッドソールを備えた運動靴に関する。本発明の１つの態様では、ミッドソールは、負荷かけとつま先離れ歩容段階の間で圧力の踵中心と圧力の母指球中心の間に連続的に増大するオフセットをもたらす。【選択図】図１ｄ
2015524739.tif 000002
【特許請求の範囲】
【請求項１】
履物製品であって、
ユーザの足に取り付け可能なアッパーと、
前記足の踵の近位の第１の部分と、前記足の母指球の近位の第２の部分とを含む、前記アッパーに連結されたミッドソールであって、前記足の前記踵は、前記第１の部分に付与され地面との間に第１の距離を定める圧力の踵中心と、前記第２の部分に付与され地面との間に第２の距離を定める圧力の母指球中心とを有し、前記第１の距離から前記第２の距離を引いた距離オフセットは、負荷かけ歩容段階とつま先離れ歩容段階の間で増大される、ミッドソールとを備える履物製品。
【請求項２】
前記第１の部分が、全体的に、一定の厚さであり、前記第２の部分が、全体的に、前記踵から前記母指球までの前記ミッドソールの長手方向軸に沿って低減する厚さである、請求項１に記載の履物製品。
【請求項３】
前記第１の部分が、前記ミッドソールの前記長手方向軸の総距離の３０％〜５０％である、請求項２に記載の履物製品。
【請求項４】
前記第１の部分が、前記第２の部分に相互連結される、請求項３に記載の履物製品。
【請求項５】
前記低減する厚さが、全体的に、フレンチカーブを形成する、請求項２に記載の履物製品。
【請求項６】
前記距離オフセットが、前記負荷かけ歩容段階と前記つま先離れ歩容段階の間で常に正である、請求項１に記載の履物製品。
【請求項７】
前記つま先離れ歩容段階における前記距離オフセットが、少なくとも４０ｍｍである、請求項１に記載の履物製品。
【請求項８】
前記第１の距離から前記第２の距離を引いた前記距離オフセットが、前記負荷かけ歩容段階と前記つま先離れ歩容の間で連続的に増大される、請求項１に記載の履物製品。
【請求項９】
前記ミッドソールに付与された圧力の足中心が、前記負荷かけ歩容段階と前記つま先離れ歩容段階の間で連続的に増大する、請求項１に記載の履物製品。
【請求項１０】
履物製品を製造する方法であって、
ユーザの足に取り付け可能なアッパーを形成することと、
前記足の踵の近位の第１の部分と、前記足の母指球の近位の第２の部分とを含む、前記アッパー部に連結されたミッドソールを形成することであって、前記足の前記踵は、前記第１の部分に付与され地面との間に第１の距離を定める圧力の踵中心と、前記第２の部分に付与され地面との間に第２の距離を定める圧力の母指球中心とを有し、前記第１の距離から前記第２の距離を引いた距離オフセットが、負荷かけ歩容段階とつま先離れ歩容段階の間で増大される、形成することとを含む、方法。
【請求項１１】
前記第１の部分が、全体的に、一定の厚さであり、前記第２の部分が、全体的に、前記踵から前記母指球までの前記ミッドソールの長手方向軸に沿って低減する厚さである、請求項１０に記載の方法。
【請求項１２】
前記第１の部分が、前記ミッドソールの前記長手方向軸の総距離の３０〜５０％であり、前記第１の部分が、前記第２の部分に相互連結される、請求項１０に記載の方法。
【請求項１３】
前記距離オフセットが、前記負荷かけ歩容段階と前記つま先離れ歩容段階の間で常に正である、請求項１０に記載の方法。
【請求項１４】
前記つま先離れ歩容段階における前記距離オフセットが、少なくとも４０ｍｍである、請求項１０に記載の方法。
【請求項１５】
前記第１の距離から前記第２の距離を引いた前記距離オフセットが、前記負荷かけ歩容段階と前記つま先離れ歩容段階の間で連続的に増大される、請求項１０に記載の方法。
【請求項１６】
前記ミッドソールに付与された圧力の足中心が、前記負荷かけ歩容段階と前記つま先離れ歩容段階の間で連続的に増大する、請求項１０に記載の方法。
【請求項１７】
前記ミッドソールが、射出成形を用いて製造される、請求項１０に記載の方法。
【請求項１８】
運動靴であって、
ユーザの足に取り付け可能なアッパーと、
全体的に一定の厚さの、前記足の踵の近位の第１の部分と、全体的に、前記踵から母指球までの前記ミッドソールの長手方向軸に沿って低減する厚さの、前記足の母指球の近位の第２の部分とを含む、前記アッパーに連結されたミッドソールであって、前記第１の部分が、前記ミッドソールの前記長手方向軸の総距離の３０〜５０％であり、前記第２の部分に相互連結され、前記足の前記踵は、前記第１の部分に付与され地面との間に第１の距離を定める圧力の踵中心と、前記第２の部分に付与され地面との間に第２の距離を定める圧力の母指球中心とを有し、前記第１の距離から前記第２の距離を引いた距離オフセットが、負荷かけ歩容段階とつま先離れ歩容段階の間で連続的に増大され、前記負荷かけ歩容段階と前記つま先離れ歩容段階の間で常に正である、ミッドソールとを備える運動靴。
【請求項１９】
前記ミッドソールに付与された足の圧力中心が、前記負荷かけ歩容段階と前記つま先離れ歩容段階の間で連続的に増大する、請求項１８に記載の履物製品。
【請求項２０】
前記つま先離れ歩容段階における前記距離オフセットが、少なくとも４０ｍｍである、請求項１８に記載の履物製品。
【請求項２１】
履物製品であって、
ユーザの足に取り付け可能なアッパーと、
前記足の踵の近位の第１の部分と、前記足の母指球の近位の第２の部分とを含む、前記アッパーに連結されたミッドソールと、
中央部分、内側部分、および側方部分を含む、前記ミッドソールに連結されたアウトソールであって、前記内側部分および前記側方部分が、実質的に非平滑な表面を形成し、前記中央部分が、曲線を成す縁を備えた実質的に平滑な表面を形成する、アウトソールと
を備える履物製品。
【請求項２２】
前記足の前記踵が、前記第１の部分に付与され地面との間に第１の距離を定める圧力の踵中心と、前記第２の部分に付与され地面との間に第２の距離を定める圧力の母指球中心とを有し、前記第１の距離から前記第２の距離を引いた距離オフセットが、負荷かけ歩容段階とつま先離れ歩容段階の間で増大される、請求項２１に記載の履物製品。
【請求項２３】
前記中央部分が、第１の材料のものであり、前記内側および側方部分が、第２の材料のものである、請求項２１に記載の履物製品。
【請求項２４】
前記中央部分が、前記履物製品のつま先部分および踵部分の少なくとも１つにわたり延び、これを構成する、請求項２１に記載の履物製品。
【発明の詳細な説明】
【関連出願の相互参照】
【０００１】
本出願は、２０１２年８月１７日出願の発明の名称「ＲＥＡＣＴＩＶＥ  ＳＨＯＥ」の米国仮特許出願第６１／６８４，５６３号明細書の利益を主張するものであり、その全体的開示は、参照によって本明細書に組み込まれる。本出願はまた、すべてが２０１２年７月２５日に出願され、すべて発明の名称「Ｓｈｏｅ  Ｓｏｌｅ」である、次の米国意匠特許出願第２９／４２８，０４４号明細書、米国意匠特許出願第２９／４２８，０４５号明細書、米国意匠特許出願第２９／４２８，０４７号明細書、米国意匠特許出願第２９／４２８，０４９号明細書、米国意匠特許出願第２９／４２８，０５１号明細書、および米国意匠特許出願第２９／４２８，０５２号明細書も相互参照し、上記文献の全体的開示は、参照によって本明細書にすべて組み込まれる。
【技術分野】
【０００２】
本開示は、履物用のミッドソールに関し、より詳細には、動的オフセットを有する反発性ミッドソールに関する。
【背景技術】
【０００３】
運動用履物は、理想的には、パフォーマンスを高めながら負傷からの保護をもたらす。一般に、運動用履物は、アッパー部分およびソール部分を備える。アッパー部分は、最低でも、履物をユーザの足に固定し、ソール部分に取り付けられる。ソールは、従来、ミッドソールおよびアウトソールを備える。アウトソールは、地面と接触し、一般的には、耐摩耗性および耐滑性の特性を有する。ミッドソールは、歩行または運動中、地面によって付与される力に対して足をクッションで和らげる。走る場合、ミッドソールは、特に、足、脚、および体に伝えられた地面衝撃力を吸収するために重要であり、その理由は、これが、ランナーの歩容に影響を与え得るためである。ヒトの歩容、特に走行時の歩容の一般的な説明に関しては、その全体が参照によって本明細書に組み込まれる、Ｄｕａｇｎらの「Ｂｉｏｍｅｃｈａｎｉｃｓ  ａｎｄ  Ａｎａｌｙｓｉｓ  ｏｆ  Ｒｕｎｎｉｎｇ  Ｇａｉｔ」、Ｐｈｙｓｉｃａｌ  Ｍｅｄｉｃｉｎｅ  ａｎｄ  Ｒｅｈａｂｉｌｉｔａｔｉｏｎ  Ｃｌｉｎｉｃｓ  ｏｆ  Ｎｏｒｔｈ  Ａｍｅｒｉｃａ、１６（２００５年）を参照されたい。
【０００４】
従来のランニングシューズは、ミッドソールが、足を介してランナーに移される地面力を軽減すること、またはランナーの歩容に影響を与えることに焦点が当てられて設計される。たとえば、Ｈａｌｂｅｒｓｔａｄｔの米国特許第５，６７８，３２７号明細書は、走行中および他の運動活動中、ユーザの歩容に適合させながら弾性のクッション性をもたらす、クッション性の歩容適合装置を組み込む運動靴を開示している。靴は、アッパーおよびソールを備え、このときソールは、内側および側方の地面係合要素を備えた踵を有する。クッション性、およびエネルギリターンの歩容適合装置が、設けられ、支持構造体と、１つまたは複数のばね装置とを備える。各々のばね装置は、略Ｕ字形状の枢動またはスイベルセクションと、側方および内側の弾性的に可撓性のポッドとを有する。枢動セクションは、支持構造体の枢動クレードルによって支持された中央部分を有する。側方ポッドが体重にかかる力に反応して弾性的に曲がることにより、反発力が内側ポッドにわたってかけられ、内側ポッドは、その後、地面に接触するような配向に向けられるように曲げられる。Ｈａｌｂｅｒｓｔａｄｔは、すべての目的のために参照によって組み込まれる。
【０００５】
また、Ｍｅｓｃｈａｎの米国特許第７，０７６，８９２号明細書は、靴の主要長手方向軸に対してほぼ垂直な方向に偏向されることが可能であるプレートと、プレートと一体化したアーチブリッジと、着用者の全歩行歩容サイクル中、着用者の全走行歩容サイクル中、靴が負荷かけされていない状態にあるとき、および他のあらゆる時にプレートから離間して置かれた少なくとも１つの膨張型クッションとを含む靴を開示している。Ｍｅｓｃｈａｎは、すべての目的のために参照によって組み込まれる。
【０００６】
一部のランニングシューズの設計は、走行時の歩容の特定のタイプに焦点を当てており、たとえば、Ｍｕｒｐｈｙの米国特許第８，１６６，６７２号明細書（「Ｍｕｒｐｈｙ」）は、中足部着地者に焦点を当てている。Ｍｕｒｐｈｙは、アッパー表面と地面接触表面の間に配置されたクッション要素であって、その少なくとも一部分が、ソールの側方側に配置され、靴ソールの後足端部から測定した靴ソールの長さの１５％から９０％の間の領域内に含まれる、クッション要素を含む、中足部着地の歩容の助けとなるランニングシューズ用の靴ソールを開示している。１つまたは複数の高い耐摩耗性の地面接触クラッシュパッドが、クッション要素の下方に配置され、靴ソールの後足端部から測定した靴ソールの長さの２０％の距離を延びる領域内に含まれた側方側部分を含む。好ましくは少なくとも縦方向のアーチ彫刻を有さない靴ソールはまた、クラッシュパッドのすぐ内側に配置された長手方向の屈曲溝も含む。Ｍｕｒｐｈｙは、すべての目的のために参照によって組み込まれる。
【０００７】
さらに、Ｌｕｃａｓの米国特許出願公開第２０１１／０１３８６５２号明細書（「Ｌｕｃａｓ」）などの高められた弾性特徴を備えたランニングシューズを設計することに対する努力が近年なされてきている。Ｌｕｃａｓは、前足部領域内に複数の板ばね要素を有するソールプレートを含む靴を開示しており、この場合ソールプレートおよび複数の板ばね要素は、一体品として製造される。複数の板ばね要素の各々は、ソールプレートに連結されない１つの自由端部を有する。Ｌｕｃａｓは、すべての目的のために参照によって組み込まれる。Ｌｕｃａｓの類似の設計は、Ｈｕｒｄの米国特許出願公開第２００９／０１７８３０３号明細書（「Ｈｕｒｄ」）およびＮｉｓｈｉｋａｗａの米国特許出願公開第２００８／００３４６１５号明細書（「Ｎｉｓｈｉｋａｗａ」）を含み、上記文献はいずれもすべての目的のために参照によって組み込まれる。
【０００８】
しかし、従来の設計は、地面との係合段階中、ランナーの踵の圧力中心および母指球の圧力中心またはその組み合わせの負荷力学に、たとえあったとしても大きくは影響を与えない。これは、たとえば、初期地面接触から負荷かけ、移行、およびつま先離れ段階にかけてである。
【０００９】
従来のランニングシューズは、固定オフセットのミッドソールを使用する。すなわち、所与の点におけるミッドソール厚さは、ランナーの足と地面の間の圧力および力による何らかの圧縮にも関わらず、概ね一定または固定のままである。
【先行技術文献】
【特許文献】
【００１０】
【特許文献１】米国仮特許出願第６１／６８４，５６３号明細書
【特許文献２】米国意匠特許出願第２９／４２８，０４４号明細書
【特許文献３】米国意匠特許出願第２９／４２８，０４５号明細書
【特許文献４】米国意匠特許出願第２９／４２８，０４７号明細書
【特許文献５】米国意匠特許出願第２９／４２８，０４９号明細書
【特許文献６】米国意匠特許出願第２９／４２８，０５１号明細書
【特許文献７】米国意匠特許出願第２９／４２８，０５２号明細書
【特許文献８】米国特許第５，６７８，３２７号明細書
【特許文献９】米国特許第７，０７６，８９２号明細書
【特許文献１０】米国特許第８，１６６，６７２号明細書
【特許文献１１】米国特許出願公開第２０１１／０１３８６５２号明細書
【特許文献１２】米国特許出願公開第２００９／０１７８３０３号明細書
【特許文献１３】米国特許出願公開第２００８／００３４６１５号明細書
【非特許文献】
【００１１】
【非特許文献１】Ｄｕａｇｎら「Ｂｉｏｍｅｃｈａｎｉｃｓ  ａｎｄ  Ａｎａｌｙｓｉｓ  ｏｆ  Ｒｕｎｎｉｎｇ  Ｇａｉｔ」、Ｐｈｙｓｉｃａｌ  Ｍｅｄｉｃｉｎｅ  ａｎｄ  Ｒｅｈａｂｉｌｉｔａｔｉｏｎ  Ｃｌｉｎｉｃｓ  ｏｆ  Ｎｏｒｔｈ  Ａｍｅｒｉｃａ、１６（２００５年）
【発明の概要】
【発明が解決しようとする課題】
【００１２】
必要とされるものは、反発性ミッドソールを備えた運動靴である。たとえば、負荷かけとつま先離れの歩容段階の間で圧力の踵中心と圧力の母指球中心の間に連続的に増大するオフセットをもたらす反発性ミッドソールである。
【課題を解決するための手段】
【００１３】
本発明の１つの態様は、負荷かけとつま先離れ歩容段階の間で圧力の踵中心と圧力の母指球中心の間に増大するオフセットをもたらす反発性ミッドソールを備えた運動靴を提供することである。そのようなミッドソールは、動的オフセットを生み出し、とりわけ、より円滑なより効率的な走行経験をもたらす。一部の実施形態では、ミッドソールは、踵に隣接する第１の部分と、全体的に低減する厚さの、第１のものに相互連結された第２の部分とを備え、第１の部分は、ミッドソールの長手方向軸の全距離と等しいまたはこれより小さいものである。一部の実施形態では、ミッドソールに付与された足の圧力中心は、負荷かけ歩容段階とつま先離れ歩容段階の間で連続的に増大する。
【００１４】
実施形態の多くは、運動用履物に焦点が当てられているが、他の用途が利用可能である。そのような用途は、向上した履物パフォーマンス、向上した運動パフォーマンス、および向上した快適性の１つまたは複数が望まれる活動を含む。
【００１５】
さらに、履物および履物ミッドソールに関して開示された概念は、バスケットボール、野球、フットボール、サッカー、ウォーキング、およびハイキングを含む多様な他の運動活動に合わせて特別に設計された履物スタイルに適用されてよく、さまざまな非運動用の履物スタイルに適用されてもよい。それにしたがって、当業者は、本明細書において開示された概念が、幅広い範囲の履物スタイルに適用されてよく、以下で論じられ、図に示される特有の実施形態に限定されないことを認識するであろう。
【００１６】
この概念はまた、全般的には、ドレスシューズ、ローファ、サンダルおよび作業ブーツを含む非運動であると考えられる履物スタイルに適用されてもよい。本明細書において開示された概念は、したがって、多種多様な履物スタイルに適用する。また、本発明の態様は、アウトソールおよびインソールなどの履物構造の他の部分と併用されてもよい。
【００１７】
本明細書では、用語「１つ「ａ」」または「１つ「ａｎ」の物は、その物の１つまたは複数を指す。したがって、用語「１つ「ａ」」（または「１つ「ａｎ」）」、「１つまたは複数」、および「少なくとも１つ」は、本明細書においては交換可能に使用され得る。また、用語「備える」、「含む」、および「有する」が、交換可能に使用され得ることにも留意される。
【００１８】
本明細書では、「少なくとも１つ」、「１つまたは複数」、および「および／または」は、運用においていずれも接続語および離接語である制約が無い表現である。たとえば、「Ａ、ＢおよびＣの少なくとも１つ」、「Ａ、Ｂ、またはＣの少なくとも１つ」、「Ａ、ＢおよびＣの１つまたは複数」、「Ａ、Ｂ、またはＣの１つまたは複数」および「Ａ、Ｂ、および／またはＣ」の表現の各々は、Ａのみ、Ｂのみ、Ｃのみ、ＡおよびＢと一緒、ＡおよびＣと一緒、ＢおよびＣと一緒、またはＡ、Ｂ、およびＣと一緒であることを意味する。
【００１９】
本明細書では、用語「インナーソール」は、履物製品のソールの取り外し可能な部分を指し、これは、アッパーの開口部から履物製品内に挿入され、着用者の生体構造、および履物製品の意図される用途に応じて、着用者の足への支持をもたらすように設計される。
【００２０】
本明細書では、用語「ミッドソール」は、インナーソールとアウトソールの間に挟まれた履物製品のソールの部分を指し、これに対してアウトソールが取り付けられる。
【００２１】
本明細書では、用語「アウトソール」は、アッパーから最も遠くにある履物製品のソールの部分を指す。
【００２２】
本明細書では、用語「アッパー」は、ソールの上方の靴のすべての部分を指す。
【００２３】
本明細書では、用語「靴」および「履物」は、ユーザの足によって着用される製品を指す。
【００２４】
本明細書では、「歩容」は、固定表面上での移動中の手足の移動のパターンである。
【００２５】
本明細書は、「足着地」は、足が地面に着地する様子であり、これは、踵、中足部、または前足部を介するものになり得る。
【００２６】
１つの実施形態では、履物製品であって、ユーザの足に取り付け可能なアッパーと、足の踵の近位の第１の部分と、足の母指球の近位の第２の部分とを含む、アッパーに連結されたミッドソールであって、足の踵は、第１の部分に付与され地面との間に第１の距離を定める圧力の踵中心、および第２の部分に付与され地面との間に第２の距離を定める圧力の母指球中心を有する、ミッドソールとを含み、第１の距離から第２の距離を引いた距離オフセットが、負荷かけ歩容段階とつま先離れ歩容段階の間で増大される、履物製品が開示される。
【００２７】
第１の部分は、全体的に一定の厚さのものであってよく、第２の部分は、全体的に、踵から母指球までのミッドソールの長手方向軸に沿って低減する厚さのものであってよい。第１の部分は、ミッドソールの長手方向軸の総距離の３０％から５０％であってよい。第１の部分は、第２の部分に相互連結され得る。第２の部分の低減する厚さは、通常、フレンチカーブなどの曲線、複合曲線、均一曲線または孤、Ｓ字形状曲線、連続曲線および非連続曲線を形成することができる。距離オフセットは、負荷かけ歩容段階とつま先離れ歩容段階の間で常に正であってよい。つま先離れ歩容段階における距離オフセットは、少なくとも４０ｍｍであってよい。第１の距離から第２の距離を引いた距離オフセットは、負荷かけ歩容段階とつま先離れ歩容段階の間で連続的に増大することができる。ミッドソールに付与された圧力の足中心は、負荷かけ歩容段階とつま先離れ歩容段階の間で連続的に増大することができる。
【００２８】
別の実施形態では、履物製品を製造する方法であって、ユーザの足に取り付け可能なアッパーを形成することと、足の踵の近位の第１の部分と、足の母指球の近位の第２の部分とを含む、アッパーに連結されたミッドソールを形成することであって、足の踵が、第１の部分に付与され地面との間に第１の距離を定める圧力の踵中心、および第２の部分に付与され地面との間に第２の距離を定める圧力の母指球中心を有し、第１の距離から第２の距離を引いた距離オフセットが、負荷かけ歩容段階とつま先離れ歩容段階の間で増大される、形成することとを含む、方法が開示される。
【００２９】
別の実施形態では、運動靴であって、ユーザの足に取り付け可能なアッパーと、全体的に一定の厚さの、足の踵の近位の第１の部分と、全体的に、踵から母指球までのミッドソールの長手方向軸に沿って低減する厚さの、足の母指球の近位の第２の部分とを含む、アッパーに連結されたミッドソールであって、第１の部分が、ミッドソールの長手方向軸の総距離の３０〜５０％であり、第２の部分に相互連結され、足の踵は、第１の部分に付与され地面との間に第１の距離を定める圧力の踵中心、および第２の部分に付与され地面との間に第２の距離を有する圧力の母指球中心を有し、第１の距離から第２の距離を引いた距離オフセットが、負荷かけ歩容段階とつま先離れ歩容段階の間で連続的に増大され、負荷かけ歩容段階とつま先離れ歩容段階の間で常に正である、ミッドソールとを備える運動靴が開示される。
【００３０】
さらに別の実施形態では、履物製品であって、ユーザの足に取り付け可能なアッパーと、足の踵の近位の第１の部分と、足の母指球の近位の第２の部分とを含む、アッパーに連結されたミッドソールと、中央部分、内側部分、および側方部分を備える、ミッドソールに連結されたアウトソールであって、内側部分および側方部分が、実質的に非平滑な表面を形成し、中央部分が、曲線を成す縁を備えた実質的に平滑な表面を形成する、アウトソールとを備える履物製品が開示される。さらに、１つの実施形態では、中央部分は、第１の材料のものであり、内側および側方部分は、第２の材料のものである。１つの実施形態では、中央部分は、履物製品のつま先部分および踵部分の少なくとも１つにわたり延び、これを構成する。
【００３１】
前述は、本発明の一部の態様の理解をもたらすための本発明の簡潔な概要である。この概要は、本発明およびそのさまざまな実施形態の網羅的でも排他的でもない概説である。本発明のキーまたは重要要素を特定する、または本発明の範囲を正確に記述するのではなく、本発明の選択された概念を、以下に提示されるより詳細な説明への導入として簡潔な形で提示することが意図される。理解されるように、本発明の他の実施形態は、上記で記載されたまたは以下で詳細に説明される特徴の１つまたは複数を単独でまたは組み合わせて利用することにより可能である。
【００３２】
本開示は、さまざまな実施形態、構成、または態様において、本明細書に実質的に図示され説明された構成要素、方法、プロセス、システムおよび／または装置を含み、さまざまな態様の実施形態、構成、副組み合わせおよびサブセットを含む。当業者は、本開示を理解した後で、本開示のさまざまな態様、実施形態、構成、副組み合わせ、およびサブセットをどのように作製し、使用するかを理解するであろう。本開示は、さまざまな態様、実施形態および構成において、たとえば、パフォーマンスを改良し、容易性を達成し、および／または実施コストを低減するために、従来の装置またはプロセスに使用されていたであろうような物品の不在の場合を含む、本明細書においてまたはそのさまざまな態様、実施形態、または構成において図示されないおよび／または説明されない物品の不在下で、装置およびプロセスを提供することを含む。
【００３３】
本開示の上述の論議は、例示および説明の目的で提示されている。上述は、本開示を本明細書で開示された形態または複数の形態に限定することは意図されない。たとえば上述の発明を実施するための形態では、本開示のさまざまな特徴は、１つまたは複数の態様、実施形態、または構成において、本開示を合理化する目的で一緒にグループ化される。本開示の態様、実施形態または構成の特徴は、上記で論じられたもの以外の、代替の態様、実施形態または構成で組み合わせられてよい。開示のこの方法は、特許請求の範囲が、各々の請求項に明示的に引用される以上の特徴を必要とするという意図を反映すると解釈されるものではない。そうではなく、後続の特許請求項の範囲が反映するように、本発明の態様は、単一の上述の開示された態様、実施形態または構成のすべての特徴より少なく存在する。したがって、後続の特許請求項の範囲は、この発明を実施するための形態に組み込まれ、このとき各々の請求項は、それ自体別個の好ましい実施形態として自立する。
【００３４】
さらに、本開示の説明は、１つまたは複数の態様、実施形態または構成、ならびに特定の変形形態および改変形態の説明を含んでいるが、たとえば当業者の技術および知識に含まれ得るような他の変形形態、組み合わせ、および改変形態が、本開示を理解した後で本発明の範囲内に含まれる。代替の態様、実施形態、または構成を、特許請求されるものの代替の、互換的な、および／または等価な構造、機能、範囲またはステップを含む、許可される範囲まで含む権利を得ることが意図され、これは、そのような代替の、互換的な、および／または等価な構造、機能、範囲またはステップが、本明細書に開示されているか否かに関係無く、また、いかなる特許性の主題も公的に献納することを意図しない。
【００３５】
添付の図は、いくつかの例を示すために本明細書に組み込まれ、その一部を形成する。これらの図は、説明と共に、本発明（複数可）の原理を説明する。図は、本発明（複数可）がどのようになされ、使用され得るかの好ましいおよび代替の例を示すに過ぎず、本発明（複数可）を図示され説明された例にのみ限定すると解釈されるものではない。
【００３６】
さらなる特徴および利点は、以下で参照される図によって示される、本発明（複数可）のさまざまな実施形態の以下のより詳細な説明から明らかになるであろう。
【図面の簡単な説明】
【００３７】
【図１Ａ】初期地面接触歩容部分の最中の、反発性靴の１つの実施形態が適合されたユーザの側面図である。
【図１ｂ】負荷かけ歩容部分の最中の、反発性靴の１つの実施形態が適合されたユーザの側面図である。
【図１ｃ】移行歩容部分の最中の、反発性靴の１つの実施形態が適合されたユーザの側面図である。
【図１ｄ】つま先離れ部分の最中の、反発性靴の１つの実施形態が適合されたユーザの側面図である。
【図２ａ】反発性靴の１つの実施形態の一部分の左立面図である。
【図２ｂ】反発性靴の１つの実施形態の底部斜視図である。
【図２ｃ】反発性靴の１つの実施形態の一部分の右立面図である。
【図２ｄ】反発性靴の１つの実施形態の前立面図である。
【図２ｅ】反発性靴の１つの実施形態の後立面図である。
【図３】反発性靴の１つの実施形態の一部分の右立面図である。
【図４】実施例Ａ１。実施例Ａ２の反発性靴の特定の実施形態の例となる構造の一部分の側方立面図であり、図は、ミリメートル単位の寸法による縮尺のものである。
【図５】実施例Ａ２。反発性靴の特定の実施形態の例となる構造の一部分の底部斜視図であり、図は、ミリメートル単位の寸法による縮尺のものである。
【図６】実施例Ａ３。実施例Ａ２の反発性靴の特定の実施形態の例となる構造の一部分の内側立面図であり、図は、ミリメートル単位の寸法による縮尺のものである。
【図７】実施例Ａ４。実施例Ａ２のセクションＡ−Ａ’の詳細図であり、図は、ミリメートル単位の寸法による縮尺のものである。
【図８】実施例Ａ５。実施例Ａ２の反発性靴の特定の実施形態の例となる構造の一部分のつま先（すなわち前部）立面図であり、図は、ミリメートル単位の寸法による縮尺のものである。
【図９】実施例Ａ６。実施例Ａ２の反発性靴の特定の実施形態の例となる構造の一部分の踵（すなわち後部）立面図であり、図は、ミリメートル単位の寸法による縮尺のものである。
【図１０】実施例Ａ７。実施例Ａ２のセクションＢ−Ｂ’の詳細図であり、図は、ミリメートル単位の寸法による縮尺のものである。
【図１１】実施例Ａ８。実施例Ａ２のセクションＣ−Ｃ’の詳細図であり、図は、ミリメートル単位の寸法による縮尺のものである。
【図１２】実施例Ａ９。実施例Ａ２のセクションＤ−Ｄ’の詳細図であり、図は、ミリメートル単位の寸法による縮尺のものである。
【図１３】実施例Ａ１０。実施例Ａ２のセクションＥ−Ｅ’の詳細図であり、図は、ミリメートル単位の寸法による縮尺のものである。
【図１４】実施例Ａ１１。実施例Ａ２のセクションＦ−Ｆ’の詳細図であり、図は、ミリメートル単位の寸法による縮尺のものである。
【図１５】実施例Ａ１２。実施例Ａ２のセクションＧ−Ｇ’の詳細図であり、図は、ミリメートル単位の寸法による縮尺のものである。
【図１６】実施例Ａ１３。靴サイズに関して実施例Ａ１〜Ａ４で特定された寸法の表であり、寸法はミリメートル単位である。
【００３８】
図は必ずしも縮尺通りではないことを理解されたい。特定の場合では、本発明の理解に必要ではない、または他の詳細の把握を難しくする詳細は、省略され得る。当然ながら、本発明は、本明細書に示された特定の実施形態に必ずしも限定されないことを理解されたい。
【発明を実施するための形態】
【００３９】
本開示は、一般に、履物およびこれを作製するための方法に関し、より詳細には、反発性ミッドソールを備えた運動靴に関する。本発明の１つの態様では、ミッドソールは、負荷かけとつま先離れの歩容段階の間で圧力の踵中心と圧力の母指球中心の間に増大するオフセットをもたらす。
【００４０】
以下の説明において、また説明の目的で、数多くの特有の詳細が、本発明のさまざまな態様の完全な理解をもたらすために記載される。しかし、本発明は、これらの特有の詳細無しに実施されてよいことが当業者によって理解されるであろう。他の場合、知られている構造および装置は、本発明をあいまいにすることを回避するために、より一般的に示され論じられる。多くの場合、作動の説明は、特に作動がソフトウェアにおいて実施されるものであるとき、本発明のさまざまな形態を実施することを可能にするのに十分なものである。開示された発明が適用され得る数多くの異なるおよび代替的な構成、装置、および技術が存在することに留意されたい。本発明の全範囲は、以下で説明される例に限定されない。
【００４１】
以下の説明は、一般に、特有の構造的実施形態および方法に関する。本発明を特有の開示された実施形態および方法に限定する意図はなく、本発明は、他の特徴、要素、方法、および実施形態を用いて実施されてよいことを理解されよう。好ましい実施形態は、特許請求の範囲によって定められる発明の範囲を限定するのではなく、本発明を例示するために説明される。さらに、論じられる実施形態は、本明細書において明示または黙示を問わず説明されたあらゆる１つまたは複数の他の実施形態と組み合わせられてよい。当業者は、後続の説明において、多様な等価の変形形態を認識するであろう。さまざまな実施形態における同じ要素は、同じ参照番号が付される。
【００４２】
次に図１〜３を参照すれば、本発明のいくつかの描写および構成が示される。図１ａ〜ｄに関しては、反発性靴の１つの実施形態が、ユーザによって着用されて、４つの歩容段階を通して示される。すなわち、図１ａは、初期地面接触歩容部分（状態ａ）の、図１ｂは、負荷かけ歩容部分（状態ｂ）の、図１ｃは、移行歩容部分（状態ｃ）の、図１ｄは、つま先離れ部分（状態ｄ）のユーザを示す。足２２、つま先２４、母指球２６、アーチ２８、および踵３０を備えたユーザの脚２０が、地面１０に沿った移動（たとえば歩行または走行）の間、靴１００に適合されて示される。図１〜３に関して、靴１００は、靴アッパー１１０、靴前足部１２０、靴踵部分１３０、靴側方部分１４０、靴内側部分１５０、靴アウトソール１６０、および靴ミッドソール１７０を備える。靴アウトソール１６０は、靴アウトソール厚さ１６２、靴アウトソール公称けん引パターン１６４、および靴アウトソールＳ波パターン１６６を備える。靴ミッドソール１７０は、靴ミッドソール外部上側縁１７２および靴ミッドソール内部上側縁１７４を備える。
【００４３】
図１ａ〜ｄに関して、圧力中心軸−踵ＣＰｈおよび圧力中心軸−母指球ＣＰｂｆが、示される。これらの軸の各々は、地面１０に平行であり、靴１００に対して側方に延びる。これらの軸の各々は、ユーザの母指球および踵によって圧力中心が形成される点によって定められた、そのそれぞれの圧力中心点を通り抜ける。別の方法で述べると、ユーザの踵の場合、踵は、靴１００の内側を押し付け、地面１０から上方向力を受け入れる表面を形成し、この踵表面は、したがって、踵表面領域における力、すなわち、圧力中心点に運動学的に変わり得る圧力を受ける。これらの２つの圧力点、すなわち踵の圧力中心点および母指球の圧力中心点は、運動学的に組み合わされて、ユーザの足全体２２に対する１つの圧力中心点（ＣＯＰ）を形成することができる。
【００４４】
圧力中心軸−踵ＣＰｈは、ユーザが地面１０に沿って並進するときの地面１０までの距離を定める。同様に、圧力中心軸−母指球ＣＰｂｆは、ユーザが地面１０に沿って並進するときの地面１０までの距離を定める。より詳細には、図１ａに示されるように、ユーザが初期地面接触歩容部分にあるとき（状態ａ）、圧力中心軸−踵ＣＰｈは、踵までの距離Ｄｈ−ａを定め、圧力中心軸−母指球ＣＰｂｆは、母指球までの距離Ｄｂｆ−ａを定める。同様に、図１ｂに示されるように、ユーザが負荷かけ歩容部分にあるとき（状態ｂ）、圧力中心軸−踵ＣＰｈは、踵までの距離Ｄｈ−ｂを定め、圧力中心軸−母指球ＣＰｂｆは、母指球までの距離Ｄｂｆ−ｂを定める。図１ｃに示されるように、ユーザが移行歩容部分にあるとき（状態ｃ）、圧力中心軸−踵ＣＰｈは、踵までの距離Ｄｈ−ｃを定め、圧力中心軸−母指球ＣＰｂｆは、母指球までの距離Ｄｂｆ−Ｃを定める。最後に、図１ｄに示されるように、ユーザが初期地面接触歩容部分にあるとき（状態ｄ）、圧力中心軸−踵ＣＰｈは、踵までの距離Ｄｈ−ｄを定め、圧力中心軸−母指球ＣＰｂｆは、母指球までの距離Ｄｂｆ−ｄを定める。
【００４５】
圧力中心軸−踵ＣＰｈおよび圧力中心軸−母指球ＣＰｂｆの各々が、それぞれの踵３０および母指球２６と、靴１００の内側底部の接面に配設されることに留意されたい。図１ａ〜ｄでは、この接面は、ミッドソール１７０の上側縁の反対側に存在するように示される。しかし、一部の実施形態では、ミッドソール１７０は、均一な高さのものではなく、その代わり、図３に示されるように、靴ミッドソール外部上側縁１７２と、靴ミッドソール内部上側縁１７４とを備える。そのような実施形態では、圧力中心軸−踵ＣＰｈおよび圧力中心軸−母指球ＣＰｂｆは、それぞれのユーザの踵およびユーザの母指球と、靴ミッドソール内部上側縁１７４の接面に配設される。さらに、一部の実施形態では、インソールが、ミッドソール１７０の上部に存在し、この場合、圧力中心軸−踵ＣＰｈおよび圧力中心軸−母指球ＣＰｂｆは、それぞれのユーザの踵およびユーザの母指球と、インソール上側表面の接面に配設される。
【００４６】
いずれかの特定の歩容部分における、踵までの距離と母指球までの距離との間の差が、オフセットである。たとえば、図１ｂに示されるように、オフセットは、踵までの距離Ｄｈ−ｂから母指球までの距離Ｄｂｆ−ｂを引いたものとして定められる。
【００４７】
１つの実施形態では、靴１００が負荷かけ歩容部分（状態ｂ）にあるときのオフセットは、０．１から５ｍｍの間である。より好ましい実施形態では、靴１００が負荷かけ歩容部分（状態ｂ）にあるときのオフセットは、０．１から４ｍｍの間である。最も好ましい実施形態では、靴１００が負荷かけ歩容部分（状態ｂ）にあるときのオフセットは、０．１から３ｍｍの間である。
【００４８】
１つの実施形態では、靴１００が負荷かけ歩容部分（状態ｂ）にあるときのオフセットは、約１ｍｍである。
【００４９】
１つの実施形態では、靴１００が移行歩容部分（状態ｃ）にあるときのオフセットは、２から１０ｍｍの間である。最も好ましい実施形態では、靴１００が移行歩容部分（状態ｃ）にあるときのオフセットは、３から９ｍｍの間である。最も好ましい実施形態では、靴１００が移行歩容部分（状態ｃ）にあるときのオフセットは、４から９ｍｍの間である。
【００５０】
１つの実施形態では、靴１００が移行歩容部分（状態ｃ）にあるときのオフセットは、約６ｍｍである。
【００５１】
１つの実施形態では、靴１００がつま先離れ部分（状態ｄ）にあるときのオフセットは、５から６０ｍｍの間である。より好ましい実施形態では、靴１００がつま先離れ部分（状態ｄ）にあるときのオフセットは、１０から５５ｍｍの間である。最も好ましい実施形態では、靴１００がつま先離れ部分（状態ｄ）にあるときのオフセットは、１０から５０ｍｍの間である。
【００５２】
１つの実施形態では、靴１００がつま先離れ部分（状態ｄ）にあるときのオフセットは、約４５．５ｍｍである。
【００５３】
１つの実施形態では、圧力中心軸−踵ＣＰｈおよび圧力中心軸−踵ＣＰｈの下方のミッドソールの底部の距離から、圧力中心軸−母指球ＣＰｂｆおよび圧力中心軸−母指球ＣＰｂｆ下方のミッドソールの底部の距離を引いた値は、ユーザの歩容にわたって０．１ｍｍから１０ｍｍの間である。より好ましい実施形態では、この距離は、０．１ｍｍから９ｍｍの間である。最も好ましい実施形態では、この距離は、１から７．５ｍｍの間である。１つの実施形態では、この距離は、１から４．５ｍｍの間である。別の実施形態では、この距離は、４から７．５ｍｍの間である。
【００５４】
１つの実施形態では、圧力中心軸−踵ＣＰｈおよび圧力中心軸−踵ＣＰｈの下方のミッドソールの底部の距離から、圧力中心軸−母指球ＣＰｂｆおよび圧力中心軸−母指球ＣＰｂｆ下方のミッドソールの底部の距離を引いた値は、初期地面接触歩容部分（状態ａ）において０．１ｍｍから６ｍｍの間である。より好ましい実施形態では、この距離は、０．１ｍｍから９ｍｍの間である。最も好ましい実施形態では、この距離は、０．５から８ｍｍの間である。１つの実施形態では、この距離は、約１ｍｍである。別の実施形態では、この距離は、約４ｍｍである。
【００５５】
１つの実施形態では、圧力中心軸−踵ＣＰｈおよび圧力中心軸−踵ＣＰｈの下方のミッドソールの底部の距離から、圧力中心軸−母指球ＣＰｂｆおよび圧力中心軸−母指球ＣＰｂｆ下方のミッドソールの底部の距離を引いた値は、移行歩容部分（状態ｃ）において３ｍｍから１０ｍｍの間である。より好ましい実施形態では、この距離は、４ｍｍから９ｍｍの間である。最も好ましい実施形態では、この距離は、４から８ｍｍの間である。１つの実施形態では、この距離は、約４．５ｍｍである。別の実施形態では、この距離は、約７．５ｍｍである。
【００５６】
図３は、反発性靴の１つの実施形態のミッドソール部分の右立面図である。詳細には、ミッドソール１７０は、靴ミッドソール外部上側縁１７２および靴ミッドソール内部上側縁１７４を備えて示される。また、靴アウトソール厚さ１６２を含む靴アウトソール１６０も示される。靴アウトソール１６０は、靴アウトソールの第１の距離ｘ１が、ミッドソール１７０および靴の長手方向軸に沿って、アウトソールの遠位または踵端部から始まるように定められて示される。靴アウトソールは、靴アウトソールの第２の距離ｘ２の長手方向における総距離を有する。靴アウトソールは、アウトソールの近位またはつま先端部において定められた靴アウトソール高さｙを有する。
【００５７】
１つの実施形態では、対靴アウトソールの第２の距離ｘ２の割合としての靴アウトソールの第１の距離ｘ１は、２５％から５５％の間である。より好ましい実施形態では、対靴アウトソールの第２の距離ｘ２の割合としての靴アウトソールの第１の距離ｘ１は、３０％から５５％の間である。最も好ましい実施形態では、対靴アウトソールの第２の距離ｘ２の割合としての靴アウトソールの第１の距離ｘ１は、３０％から５０％の間である。
【００５８】
１つの実施形態では、対靴アウトソールの第２の距離ｘ２の割合としての靴アウトソールの第１の距離ｘ１は、約４０％である。
【００５９】
１つの実施形態では、対靴アウトソールの第２の距離ｘ２の割合としての靴アウトソールの高さｙは、１０％から２５％の間である。より好ましい実施形態では、対靴アウトソールの第２の距離ｘ２の割合としての靴アウトソールの高さｙは、１２％から２０％の間である。最も好ましい実施形態では、対靴アウトソールの第２の距離ｘ２の割合としてのアウトソールの高さｙは、１２％から１８％の間である。
【００６０】
１つの実施形態では、対靴アウトソールの第２の距離ｘ２の割合としての靴アウトソールの高さｙは、約１６％である。
【００６１】
いくつかの手段のうちの任意のものが、説明されたオフセットを達成するために使用され得る。１つの実施形態では、オフセットは、ミッドソールおよび／またはミッドソール／アウトソールの組み合わせ（集合的に「靴底領域」）の形状によって達成される。すなわち、靴底領域の形状は、靴の後部または踵領域から始まる（２つの部分のうち）第１の部分が、概ね平面でおよび／または平坦であり、２つの部分のうち第２のものが、少なくとも靴底領域の中点、そうでない場合、中点よりも靴の踵または後部寄りの地点から始まって、地面から外方に湾曲する。別の方法で述べれば、靴だけ（すなわち履かれていないときの靴）が、平坦表面上に置かれたとき、第１の部分の後部は、靴の長手方向における全長の５０％のみまたはそれより少なく地面上に載置し、靴の残りの（第２の）部分は、地面上に載置せず、その代わりに地面から外方に湾曲する。そのような形状は、説明された動的オフセットの機能性または複数の機能性を可能にする。
【００６２】
代替的にまたは組み合わせて、オフセットは、異なる材料特性、たとえば異なる弾性特性および形状特性を備えたミッドソールおよび／またはミッドソール／アウトソールの組み合わせによって達成され得る。たとえば、図４−１６の実施例Ａ１−１３は、異なる形状および材料の特性のミッドソール／アウトソール領域の断面図を詳述しており、それによって、前述した動的オフセット機能を可能にし得る異なる弾性特性をもたらす。
【００６３】
１つの実施形態では、アウトソールは、ミッドソールに連結され、中央部分、内側部分、および側方部分を含み、内側部分および側方部分は、実質的に非平滑な表面を形成し、中央部分は、曲線を成す縁と共に実質的に平滑な表面を形成する。１つの実施形態では、アウトソールの内側部分は、アウトソールの母指球領域および／またはアウトソール前部５０％では、中央部分の最も近い縁までの側方距離は、中央部分の最も近い縁までの側方部分の側方距離より大きい。１つの実施形態では、アウトソールの内側部分は、アウトソールの踵領域および／またはアウトソール後部５０％では、中央部分の最も近い縁までの距離は、中央部分の最も近い縁までの側方部分の側方距離とほぼ等しい。１つの実施形態では、実施例Ａ２（図は、ｍｍ単位の寸法で縮尺通りに描かれる）の寸法は、アウトソールおよび／またはアウトソール／ミッドソールの側方部分、中央部分、および内側部分の形状を定めるために使用される。
【００６４】
上記で参照されたように、「オフセット」は、着用者の足の底部表面の部分と地面との間の距離を指す。詳細には、オフセットは、地面上方の着用者の母指球高さと比較した、地面上方の着用者の踵高さとの間の相違である。たとえば、ほとんどの靴は、踵高さを母指球高さの５ｍｍから１５ｍｍ上方に置くように設計される。これは、しばしば、踵の中心内および母指球において靴ソール（アウトソール、ミッドソール、持続材料、およびインソール）の全体厚さを測定することによって決定される。平坦型ソールの靴では、着用者の踵と地面の間、および着用者の足の母指球と地面の間の距離は、全体的に等しく、それによって約ゼロのオフセットがもたらされる。
【００６５】
靴のオフセットは、着用者の姿勢および着用者の足および下腿がストライド中にとる角度に影響を与え得る。体の姿勢および足と下腿の間の角度は、体の動作を制御する筋肉および関節の機能性に影響を与え得る。裸足で平坦表面上を走るまたは歩くことが、参照として使用され得る。裸足は、踵および母指球が平坦表面上にあるときはゼロオフセットをとる。ストライド進行において、足は、踵および母指球の両方が地面接触しているゼロオフセットから、踵が、ストライド推進段階において地面から持ち上がるときの正オフセットまで進む。踵および母指球が同じオフセットのままであるとき、オフセットは、変化するのではなく「固定する」と言われ得る。したがって、裸足で走るまたは歩くことは、固定オフセットを示す。靴は、通常、ゼロｍｍから１５ｍｍの間の範囲である固定オフセットを有して設計される。しかし、商標Ｅａｒｔｈｓｈｏｅｓ（登録商標）などからの一部の靴は、しばしば「ネガティブ踵」と称される、負のオフセットを有して設計されている。
【００６６】
固定オフセットは、ストライド中、足の動作を、初期地面接触の瞬間から踵持ち上げおよび推進までの間一時的に中断させる。この一時的な中断は、しばしば、ストライドの「スタンス」段階と称される。ストライド中の足の動作における中断は、どれだけ一時的であっても、動作の円滑性を低減し、前足部が被る衝撃を増大させ得る。中断を解消することは、より円滑な感覚を作り出し、衝撃を低減する。剛性のロッカーソール型靴は、ストライド中、踵からつま先までの足全体を文字通り揺さぶることによってこの中断を解消することができる。本発明は、ロッカーソール型靴と混同されるものではない。
【００６７】
力プレートデータは、固定オフセット靴の動作における中断を明らかにする。数学的技術を用いて圧力中心（ＣＯＰ）、圧力中心速度（ＣＯＰＶ）および圧力中心加速度（ＣＯＰＡ）を算出することにより、ランナーがスタンスに入るとき、そのＣＯＰは、反転し、踵に向かって移動し得ることが明らかになる。圧力中心が負の方向に移動するために、ＣＯＰＶは、推進段階中に正に戻る前に反転し、負にならなければならない。ＣＯＰＶを負にするのに必要とされるＣＯＰＡは、限界段階と称される。
【００６８】
それとは反対に、動的オフセットを有する靴のＣＯＰは、足の軸に沿って前方向に円滑に移動する。動的オフセットのソールは、ＣＯＰＶの反転がないことを実証する。動的オフセットは、すべてのランナーならびに中足部着地歩容を使用する着用者の走行経験を高める。
【００６９】
諸実施形態は、動的オフセットと呼ばれる足の連続的に変化するオフセットを作り出すことによって、足の動作における中断を解消はしなくとも、これを軽減する靴を提供する。動的オフセット靴は、足が、ストライドの開始において１つのオフセットをとり、その後、推進段階を通してこのオフセットを連続的に増大させることを可能にする。これは、１つの実施形態では、足上の力の中心が、足の後部分から前方向に移動するときに、足が、靴の前半分を下方向に強制することを可能にすることよって達成される。靴ソールは、前足部の圧力下で靴の前半分において下方向に必ず曲がらなければならず、それによってソールの形状を変化させる。それとは対照的に、ロッカーソール型靴は、ストライドにわたってその揺り子形状のすべてではなくてもほとんどを維持する。
【００７０】
図１ａ〜ｄに関して、初期地面接触における足の位置は、靴１００の機能および設計に、すなわち動的オフセット動作機能（複数可）に無関係であることに留意することが重要である。
【００７１】
本発明の１つの実施形態は、ストライドにおける足上の力が足の後半分に集中されるとき（すなわち「負荷かけ」段階）に着用者の足を１ｍｍのオフセットで適所に置く靴を提供する。オフセットは、足の下の力の中心が、つま先に向かって移動するにつれて（すなわち「移行」段階）４．５ｍまで除々に増大する。オフセットは、移行段階の後、つま先離れまで連続的に増大する。
【００７２】
１つの実施形態では、動的オフセットは、ソール材料の正確な寸法および形状によって達成される。概して、足の後半分の下のソールの縦方向寸法は、踵の中央から中足点までほとんど一定であり、中足部からつま先まで滑らかに低減する。ほとんどの靴は、前足部内でソールの縦方向寸法を低減するが、動的オフセット靴と他の靴の間には、１つの実施形態において２つの重要な相違が存在し、すなわち、１）動的オフセット靴は、（前足部内の先細に比べて）比較的一定の縦方向寸法を備えた後部分を有し、２）動的オフセット靴は、靴の縦方向ソール寸法を、他の靴のように母指球ではなく中足部から開始して先細にする。
【００７３】
当業者は、アウトソール／ミッドソールトレッドが、ソールと作動の目的表面との間の所望の接触特性をもたらすいずれかの形態で形作られ得ることを理解するであろう。すなわち、道路トレッドパターンは、ゆるいまたは不均一な地面を掘るのを助ける突起または他の硬化部材も含み得る小道トレッドパターンより全体的に平滑である。さらに、本発明の１つの態様は、さまざまな硬化特性を有するソールを提供することである。より詳細には、一部の実施形態のソールは、中立にバランスがとられ、この場合靴は、その長手方向軸に沿って硬化される。別の実施形態では、ソールは、回内する個人用に作製され、この場合、追加の硬度が、靴の内側踵部分に隣接してもたらされる。これらの技術は、当技術分野においてよく知られており、本明細書において図示され説明された本発明の実施形態と組み合わせて使用され得る。
【００７４】
１つの実施形態では、中足部着地中に最小限のオフセットをもたらすために、本発明の１つの実施形態のソールは、上方向に角度付けられる。より詳細には、この実施形態のつま先部分は、曲線によって靴の踵部分および中足部分に対して角度付けられて、直線部分およびこれに対して角度付けされた部分を有するソールをもたらす。当業者は、中足部分とつま先部分の間の移行部分がまた、踵部分に対して角度付けられてよいことも理解するであろう。本発明の１つの実施形態では、直線部分の長さは、つま先の先端部から踵まで測定した靴の水平方向の全長の約３０〜５０％の間である。１つの実施形態の直線部分の長さは、ソールの全長の約４０％である。本発明の一部の実施形態では、直線部分の端部は、踵から離間され、それにより、踵は、地面から所定の量だけ離間され、または角度付けされる。
【実施例】
【００７５】
本発明の範囲を限定することを意図することなく、実施例Ａ１〜Ａ１３は、各々が縮尺通りの図において本発明の１つの実施形態の１つの例となる構造を示す。寸法はミリメートル単位である。
【００７６】
実施例Ａ１〜Ａ３は、それぞれ、本発明の１つの実施形態のアウトソール／ミッドソール部分の側方、底部、および内側の図を示す。実施例Ａ５〜Ａ６は、それぞれ、実施例Ａ１〜３のアウトソール／ミッドソールのつま先および踵の図を示す。実施例４は、実施例Ａ２の軸断面Ａ〜Ａ’に沿った略長手方向の断面図を示す。実施例Ａ７〜Ａ１２は、実施例Ａ１〜３のインソール／ミッドソールの順次的断面図を示す。
【００７７】
実施例Ａ７〜Ａ１２の異なる材料および異なる形状に留意されたい。たとえば、上側左から下側右の断面マーキングの材料（実施例Ａ７の主要な材料）は、第１の材料（ここではＣＭＥＶＡ）のものであり、下側左から上側右断面マーキング（実施例Ａ７の中央−上側部分）を有する材料は、第２の材料（ここではＶＧＢ）のものであり、２つの中央−底部部分（断面マーキングを有さない）は、第３の材料（ここでは、セミブローンゴム）のものである。材料に対するマーキングのこれらの同じマッピングは、実施例Ａ８〜Ａ１０に適用される。実施例Ａ１１〜１２では、上側左から下側右の断面マーキング（実施例Ａ１１〜１２の主要な材料）は、第１の材料（ここではＣＭＥＶＡ）のものであり、マーキングを有さない部分（実施例Ａ１１〜１２の中央底部分）は、第３の材料部分（ここでは、セミブローンゴム）であり、下側左から上側右の断面マーキングを有する材料（実施例Ａ１１〜１２の下側左底部分は、第４の材料（ここでは炭素ゴム）のものである。ＣＭＥＶＡは、圧縮成形エチレン酢酸ビニルであることに留意されたい。
【００７８】
理解されるように、本発明の一部の特徴を、他を提供することなく提供することが可能である。
【００７９】
関連する図において本明細書に提供された発明を実施するための形態をさらに明確にするために、構成要素および関連する番号付けの以下のリストが、以下の通りに提供される。
【符号の説明】
【００８０】
１０  地面
２０  脚
２２  足
２４  つま先
２６  母指球
２８  アーチ
３０  踵
１００  靴
１１０  靴アッパー
１２０  靴前足部
１３０  靴踵部分
１４０  靴側方部分
１５０  靴内側部分
１６０  靴アウトソール
１６２  靴アウトソール厚さ
１６４  靴アウトソール公称けん引パターン
１６６  靴アウトソールＳ波形パターン
１７０  靴ミッドソール
１７２  靴ミッドソール外部上側縁
１７４  靴ミッドソール内部上側縁
ＣＰｈ  圧力中心軸−踵
ＣＰｂｆ  圧力中心軸−母指球
Ｄｈ−ａ  踵までの距離−状態ａ
Ｄｂｆ−ａ  母指球までの距離−状態ａ
Ｄｈ−ｂ  踵までの距離−状態ｂ
Ｄｂｆ−ｂ  母指球までの距離−状態ｂ
Ｄｈ−ｃ  踵までの距離−状態ｃ
Ｄｂｆ−ｃ  母指球までの距離−状態ｃ
Ｄｈ−ｄ  踵までの距離−状態ｄ
Ｄｂｆ−ｄ  母指球までの距離−状態ｄ
ｘ１  靴アウトソール第１の距離
ｘ２  靴アウトソール第２の距離
ｙ  靴アウトソール高さ
【００８１】
本開示のさまざまな実施形態が、詳細に説明されてきたが、これらの実施形態の変形形態および代替形態が、当業者に想定されることは明らかである。しかし、そのような改変形態および代替形態が、後続の特許請求の範囲に記載されたように本開示の範囲および趣旨に含まれることが明示的に理解されるものとする。
【００８２】
本開示の上述の論議は、例示および説明の目的で提示されている。上述は、本開示を本明細書で開示された形態または複数の形態に限定することは意図されない。たとえば上述の発明を実施するための形態において、本開示のさまざまな特徴が、本開示を合理化する目的で１つまたは複数の実施形態において一緒にグループ化される。本開示のこの方法は、特許請求された開示が、各々の請求項に明示的に引用される以上の特徴を必要とするという意図を反映すると解釈されるものではない。そうではなく、後続の特許請求項の範囲が反映するように、本発明の態様は、単一の上述の開示された実施形態のすべての特徴より少ないものに存在する。したがって、後続の特許請求項の範囲は、この発明を実施するための形態に組み込まれ、このとき各々の請求項はそれ自体、本開示の別個の好ましい実施形態として自立する。
【００８３】
さらに、本開示は、１つまたは複数の実施形態ならびに特定の変形形態および改変形態の説明を含んでいるが、たとえば当業者の技術および知識に含まれ得るような他の変形態および改変形態が、本開示を理解した後、本発明の範囲内に含まれる。代替の実施形態を、特許請求されるものの代替の、互換的な、および／または等価な構造、機能、範囲またはステップを含む、許可される範囲まで含む権利を得ることが意図され、これは、そのような代替の、互換的なおよび／または等価な構造、機能、範囲またはステップが、本明細書に開示されているか否かに関係無く、また、いかなる特許性の主題も公的に献納することを意図しない。
【図１ａ】
2015524739.tif 000003
【図１ｂ】
2015524739.tif 000004
【図１ｃ】
2015524739.tif 000005
【図１ｄ】
2015524739.tif 000006
【図２ａ】
2015524739.tif 000007
【図２ｂ】
2015524739.tif 000008
【図２ｃ】
2015524739.tif 000009
【図２ｄ】
2015524739.tif 000010
【図２ｅ】
2015524739.tif 000011
【図３】
2015524739.tif 000012
【図４】
2015524739.tif 000013
【図５】
2015524739.tif 000014
【図６】
2015524739.tif 000015
【図７】
2015524739.tif 000016
【図８】
2015524739.tif 000017
【図９】
2015524739.tif 000018
【図１０】
2015524739.tif 000019
【図１１】
2015524739.tif 000020
【図１２】
2015524739.tif 000021
【図１３】
2015524739.tif 000022
【図１４】
2015524739.tif 000023
【図１５】
2015524739.tif 000024
【図１６】
2015524739.tif 000025
【国際調査報告】
2015524739.tif 000026